(57)【要約】  良好に冷却できる音響再生装置を提供する。音響再生装置１００のケース体１１０内部に配設されたピックアップ部１８２の近傍に、このピックアップ部１８２を冷却する中央ファン１６１を設ける。ケース体１１０内部に配設されたアンプ２００の近傍に、このアンプ２００を冷却する外縁ファン１７１を設ける。このため、音響再生装置１００は、ピックアップ部１８２やアンプ２００の温度が上昇する場合、これらの近傍の各ファン１６１，１７１のみを駆動させるだけで冷却できる。したがって、１つのファンでピックアップ部１８２やアンプ２００を冷却する構成と比べて、冷却に必要な各ファン１６１，１７１の回転数を少なくできる。よって、音響再生装置１００は、各ファン１６１，１７１の動作音を大きくすることなく良好にピックアップ部１８２やアンプ２００を冷却できる。
2005091693.tif 000002
【特許請求の範囲】
【請求項１】
ケース体内部に配置された複数の冷却対象部材を冷却する冷却装置であって、
前記複数の冷却対象部材を冷却する複数の冷却手段を前記冷却対象部材のそれぞれの近傍に設けたことを特徴とした冷却装置。
【請求項２】
請求項１に記載の冷却装置であって、
前記冷却手段は、前記冷却対象部材近傍の空気をこの冷却対象部材近傍から離れた位置へ移動させて前記冷却対象部材を冷却することを特徴とした冷却装置。
【請求項３】
請求項２に記載の冷却装置であって、
前記冷却手段から前記ケース体外部にかけて設けられた空気誘導手段を備え、該空気誘導手段によって前記冷却対象部材近傍の空気を前記ケース体外部へ導くことを特徴とした冷却装置。
【請求項４】
請求項３に記載の冷却装置であって、
前記空気誘導手段は、略筒状を有し、前記略筒状の一方の開口部が前記冷却手段に向けて開口する状態に、かつ、他方の開口部が前記ケース体外部の方向に向けて開口する状態に設けられた筒状部を備えたことを特徴とした冷却装置。
【請求項５】
請求項１ないし請求項４のいずれかに記載の冷却装置であって、
前記冷却対象部材は、所定の処理を実施する際に温度が上昇する部材であり、
前記複数の冷却対象部材のうちの少なくともいずれか１つに前記処理を実施させる旨の処理要求信号を生成する信号生成手段から、前記処理要求信号を取得する処理要求信号取得手段と、
前記処理要求信号に基づいて冷却対象部材に対応する前記冷却手段に前記冷却対象部材を冷却させる信号認識冷却制御手段と、
を備えたことを特徴とした冷却装置。
【請求項６】
請求項５に記載の冷却装置であって、
前記処理要求信号に基づいて前記いずれか１つの冷却対象部材に対応する前記冷却手段の冷却能力を設定する信号冷却能力設定手段を備え、
前記信号認識冷却制御手段は、前記設定された冷却能力で前記冷却手段に前記冷却対象部材を冷却させることを特徴とした冷却装置。
【請求項７】
請求項１ないし請求項６のいずれかに記載の冷却装置であって、
前記複数の冷却対象部材のうちの少なくともいずれか１つの温度を検出する温度検出手段と、
前記検出した温度に基づいて冷却対象部材に対応する前記冷却手段に前記冷却対象部材を冷却させる温度認識冷却制御手段と、
を備えたことを特徴とした冷却装置。
【請求項８】
請求項７に記載の冷却装置であって、
前記検出した温度に対応して前記冷却手段の冷却能力を設定する温度冷却能力設定手段を備え、
前記温度認識冷却制御手段は、前記設定された冷却能力で前記冷却手段に前記冷却対象部材を冷却させることを特徴とした冷却装置。
【請求項９】
請求項１ないし請求項８のいずれかに記載の冷却装置と、
前記ケース体と、
前記冷却対象部材と、
を備え、
前記冷却対象部材は、電子部品であることを特徴とした電子機器。
【請求項１０】
ケース体内部に配置されて所定の処理を実施するとともに前記処理を実施する際に温度が上昇する複数の冷却対象部材を冷却する複数の冷却手段を、前記冷却対象部材のそれぞれの近傍に用い、
前記複数の冷却対象部材のうちの少なくともいずれか１つに前記処理を実施させる旨の処理要求信号を生成する信号生成手段から、前記処理要求信号を取得し、
前記処理要求信号に基づいて冷却対象部材に対応する前記冷却手段に前記冷却対象部材を冷却させることを特徴とする冷却方法。
【請求項１１】
ケース体内部に配置された複数の冷却対象部材を冷却する複数の冷却手段を前記冷却対象部材のそれぞれの近傍に用い、
前記複数の冷却対象部材のうちの少なくともいずれか１つの温度を検出し、
前記検出した温度に基づいて冷却対象部材に対応する前記冷却手段に前記冷却対象部材を冷却させることを特徴とする冷却方法。
【発明の詳細な説明】
【技術分野】
【０００１】
本発明は、ケース体内部に配置された複数の冷却対象部材を冷却する冷却装置、電子機器、および、冷却方法に関する。
【背景技術】
【０００２】
従来、ケース体内部に配置された複数の電子部品を冷却する冷却装置が知られている（例えば、特許文献１参照）。【０００３】
この特許文献１に記載のものは、筐体外の空気を取り入れて筐体内に送風する冷却ファンと、この冷却ファンで得られた空気流をそれぞれの電子部品まで導くダクト状の送風誘導路と、などを備えている。そして、冷却ファンを作動させると、送風誘導路に設けられた分岐路の先端から空気流が吹き出す。この空気流は、各電子部品の表面に当たって、各電子部品の熱を奪い冷却する。【０００４】
【特許文献１】特開平６−１３７７６号公報（第３頁右欄−第５頁左欄）
【発明の開示】
【発明が解決しようとする課題】
【０００５】
ところで、上述した特許文献１に記載のような構成において、冷却ファンから離れている電子部品を冷却する方法として、例えば冷却ファンの回転数を上げて冷却する方法が考えられる。しかしながら、冷却ファンの回転数を上げると、動作音が大きくなるという問題が一例として挙げられる。【０００６】
本発明は、このような点に鑑みて、良好に冷却可能な冷却装置、電子機器、および、冷却方法を提供することを１つの目的とする。
【課題を解決するための手段】
【０００７】
本発明の冷却装置は、ケース体内部に配置された複数の冷却対象部材を冷却する冷却装置であって、前記複数の冷却対象部材を冷却する複数の冷却手段を前記冷却対象部材のそれぞれの近傍に設けたことを特徴とする。【０００８】
本発明の電子機器は、前述した本発明の冷却装置と、前記ケース体と、前記冷却対象部材と、を備え、前記冷却対象部材は、電子部品であることを特徴とする。【０００９】
本発明の冷却方法は、ケース体内部に配置されて所定の処理を実施するとともに前記処理を実施する際に温度が上昇する複数の冷却対象部材を冷却する複数の冷却手段を、前記冷却対象部材のそれぞれの近傍に用い、前記複数の冷却対象部材のうちの少なくともいずれか１つに前記処理を実施させる旨の処理要求信号を生成する信号生成手段から、前記処理要求信号を取得し、前記処理要求信号に基づいて冷却対象部材に対応する前記冷却手段に前記冷却対象部材を冷却させることを特徴とする。【００１０】
もしくは、本発明の冷却方法は、ケース体内部に配置された複数の冷却対象部材を冷却する複数の冷却手段を前記冷却対象部材のそれぞれの近傍に用い、前記複数の冷却対象部材のうちの少なくともいずれか１つの温度を検出し、前記検出した温度に基づいて冷却対象部材に対応する前記冷却手段に前記冷却対象部材を冷却させることを特徴とする。
【図面の簡単な説明】
【００１１】
【図１】本発明の第１実施形態に係る音響再生装置の概略構成を示すブロック図である。
【図２】前記第１実施形態および本発明の第２の実施の形態に係る音響再生装置の平面図である。
【図３】前記第１実施形態および前記第２の実施の形態における音響再生装置の背面図である。
【図４】前記第１実施形態および前記第２の実施の形態における図２のI−I線に沿った断面図である。
【図５】前記第１実施形態における音響再生装置の冷却処理を示すフローチャートである。
【図６】前記第２実施形態に係る音響再生装置の概略構成を示すブロック図である。
【図７】前記第２実施形態における音響再生装置の冷却処理を示すフローチャートである。
【符号の説明】
【００１２】
１００，３００    電子機器としての音響再生装置
１１０    ケース体
１１４Ａ  冷却装置を構成し得る空気誘導手段を構成する放熱部
１２０    冷却装置を構成し得る空気誘導手段および筒状部を構成する回路基板
１３０    冷却装置を構成し得る空気誘導手段および筒状部を構成するダクト部
１４０    信号生成手段としても機能する入力部
１６１    冷却装置を構成する冷却手段としての中央ファン
１７１    冷却装置を構成し得る空気誘導手段を構成する外縁ファン
１８２    冷却対象部材としての電子部品であるピックアップ部
２００    冷却対象部材としての電子部品であるアンプ
２２５    冷却装置を構成し得る処理要求信号取得手段および信号冷却能力設定手段としても機能する信号認識冷却制御手段としてのファン制御手段
３３０    冷却装置を構成し得る温度検出手段としての第１のサーミスタ
３４０    冷却装置を構成し得る温度検出手段としての第２のサーミスタ
３５１    冷却装置を構成し得る温度冷却能力設定手段としても機能する温度認識冷却制御手段としてのファン制御手段
Ｓdi  処理要求信号としても機能するディスク信号
Ｓvo  処理要求信号としても機能する音量信号
【発明を実施するための最良の形態】
【００１３】
［第１の実施の形態］
以下に、本発明に係る第１の実施の形態を図面に基づいて説明する。
本実施の形態および後述する第２の実施の形態では、本発明の冷却装置を備えた電子機器としての音響再生装置を例示して説明するが、これに限らず複数の冷却対象部材を有するいずれの構成にも適用できる。【００１４】
〔音響再生装置の構成〕
図１において、１００は車載用の電子機器としての音響再生装置である。この音響再生装置１００は、例えばＣＤ（Compact Disc）やＭＤ（Mini Disc）などの光ディスク、光磁気ディスクなどである図示しないディスクの記録面に記録された例えば楽曲を適宜再生する。また、音響再生装置１００は、ラジオ番組を受信して、このラジオ番組の音声などを適宜出力する。そして、音響再生装置１００は、図２ないし図４に示すように、ケース体１１０と、回路基板１２０と、ダクト部１３０と、図１に示すように、信号生成手段としても機能する入力部１４０と、表示部１５０と、第１のファン部１６０と、第２のファン部１７０と、ディスク処理部１８０と、チューナ部１９０と、冷却対象部材としての電子部品であるアンプ２００と、メモリ２１０と、制御部２２０と、図示しない電力供給手段と、などを備えている。【００１５】
ケース体１１０は、例えば金属などの材料により内部空間を有する略箱形状に形成されている。このケース体１１０には、回路基板１２０と、ダクト部１３０と、入力部１４０と、表示部１５０と、第１のファン部１６０と、第２のファン部１７０と、ディスク処理部１８０と、チューナ部１９０と、アンプ２００と、メモリ２１０と、制御部２２０と、電力供給手段と、などが配設されている。そして、ケース体１１０は、上面が開口する下ケース１１１と、この下ケース１１１の上面を閉塞する図示しない上ケースと、を有している。【００１６】
下ケース１１１は、図２に示すように、略矩形平板状の底板部１１２と、この底板部１１２の図２における下辺側の側縁に略垂直に屈曲形成された正面板部１１３と、底板部１１２の上辺側の側縁に正面板部１１３と同方向に略垂直に屈曲形成された背面板部１１４と、底板部１１２の右辺側の側縁に正面板部１１３と同方向に略垂直に屈曲形成された右側板部１１５と、底板部１１２の左辺側の側縁に正面板部１１３と同方向に略垂直に屈曲形成された左側板部１１６と、にて上面を開口して形成されている。背面板部１１４には、図３に示すように、右側板部１１５側の位置に、ケース体１１０の内部と外部とを連通する放熱部１１４Ａが開口形成されている。この放熱部１１４Ａは、例えば複数の略円弧状のスリットにより略円形を描く状態に形成されている。また、背面板部１１４には、左側板部１１６側から放熱部１１４Ａにかけての位置に、図示しない各種機器のコネクタなどが接続されるコネクタ端子や、ケース体１１０から引き出される図示しないケーブルなどのケーブル取出口などを有するコネクタ部１１４Ｂが設けられている。【００１７】
回路基板１２０は、下ケース１１１に設けられた図示しない基板取付爪部により下ケース１１１に着脱可能に取り付けられている。この回路基板１２０は、図２に示すように底板部１１２よりも小さい略矩形板状に形成されている。また、回路基板１２０は、図４に示すように、底板部１１２から所定間隔離れた上方に取り付けられている。この回路基板１２０には、音響再生装置１００の動作を制御する各種制御回路などが搭載されている。【００１８】
入力部１４０は、制御部２２０などに接続されている。この入力部１４０は、ケース体１１０の例えば正面に臨んで入力操作可能に配設された図示しない操作ボタンや操作つまみなどを有している。この操作ボタンや操作つまみの入力操作の内容としては、例えば音響再生装置１００の動作内容の設定などの設定事項である。具体的には、ディスクに記録された楽曲の再生、停止、受信するラジオ局の選局、音量の設定などが例示できる。そして、この入力部１４０は、ディスクの再生や停止などのディスクに関する設定事項の入力操作により、処理要求信号としても機能するディスク開始信号Ｓdiを制御部２２０へ適宜
出力する。また、ラジオ音声の出力やラジオ局の選局などラジオに関する設定事項の入力操作により、ラジオ信号Ｓraを制御部２２０へ適宜出力する。さらに、音量の設定に関する設定事項の入力操作により、処理要求信号としても機能する音量信号Ｓvoを制御部２２０へ適宜出力する。また、音響再生装置１００の電源をオンする旨の設定事項の入力操作により、オン信号Ｓonを制御部２２０へ適宜出力する。さらに、音響再生装置１００の電源をオフする旨の設定事項の入力操作により、オフ信号Ｓofを制御部２２０へ適宜出力する。【００１９】
表示部１５０は、制御部２２０などに接続されている。この表示部１５０は、ケース体１１０の例えば正面に図示しない表示面が臨んで配設されている。この表示部１５０は、制御部２２０により制御され、制御部２２０から出力される画像信号Ｓdpを適宜取得する。そして、この画像信号Ｓdpの画像データに基づいて、例えばディスクの再生状況、選局されたラジオ局、音量などの音響再生装置１００の動作状態などを示す各種情報などを表示面に表示する。この表示部１５０としては、例えば液晶パネルや有機ＥＬ（Electro
Luminescence）パネル、ＦＥＤ（Field Emission Display）、電気泳動ディスプレイパネルなどが例示できる。【００２０】
第１のファン部１６０は、制御部２２０などに接続されている。この第１のファン部１６０は、制御部２２０により制御され、詳しくは後述するがピックアップ部１８２近傍の空気を外部へ排出してピックアップ部１８２を適宜冷却する。そして、第１のファン部１６０は、ピックアップ部１８２近傍などの空気を排出する冷却手段としての中央ファン１６１と、この中央ファン１６１を駆動する中央ファン駆動部１６４と、などを備えている。【００２１】
中央ファン１６１は、空気を排出する際に、空気の流れを回転軸と略直交する方向に制限するいわゆる遠心ファンである。この中央ファン１６１は、例えば図２に示すように、回路基板１２０上の略中央に配設されている。そして、中央ファン１６１は、図４に示すように、内部空間を有し下面および１つの側面が開口する略矩形薄箱状に形成されたファンケース１６２と、このファンケース１６２の内部空間に配設され適宜回転する羽根車１６３と、などを備えている。【００２２】
ファンケース１６２は、例えばプラスチックなどの材料により形成されている。このファンケース１６２の開口された側面は、排気口１６２Ａとされている。また、ファンケース１６２の上面の略中央には、略円形状の吸気口１６２Ｂが開口形成されている。この吸気口１６２Ｂの略中央には、吸気口１６２Ｂよりも小さい略円板状に形成され、例えば略棒状の３つの連結部材１６２Ｃにより保持されたコイル配設部１６２Ｄが設けられている。ここで、コイル配設部１６２Ｄおよび連結部材は、吸気口１６２Ｂを完全に閉塞しない状態に設けられている。コイル配設部１６２Ｄの下面には、例えば略円形を描く状態に巻回され中央ファン駆動部１６４に接続された図示しないコイルが配設されている。そして、ファンケース１６２は、排気口１６２Ａが放熱部１１４Ａの方向を向く状態で回路基板１２０上に配設されている。【００２３】
羽根車１６３は、例えばファンケース１６２と同一の材料などにより略円板状に形成された円板体１６３Ａを有している。この円板体１６３Ａの例えば両面における略中央には、略棒状の軸部１６３Ｂが平面方向と略直交する状態に設けられている。また、円板体１６３Ａの一方側の面における例えば軸部１６３Ｂの周囲には、図示しない磁性体が配設されている。さらに、円板体１６３Ａの例えば磁性体が設けられた面には、この面から略楕円薄板状に突出する状態に設けられ、円板体１６３Ａが軸部１６３Ｂを中心に回転された際にこの面近傍の空気を回転軸と略直交する方向へ案内する複数の羽根部１６３Ｃが一体的に形成されている。そして、羽根車１６３は、軸部１６３Ｂを中心に回転可能に、かつ、円板体１６３Ａの磁性体が設けられた面がコイル配設部１６２Ｄに設けられたコイルと略対向する状態に配設されている。【００２４】
中央ファン駆動部１６４は、制御部２２０などに接続されている。この中央ファン駆動部１６４は、制御部２２０から中央所定駆動信号Ｓchを適宜取得する。中央ファン駆動部１６４は、中央所定駆動信号Ｓchを取得すると、この中央所定駆動信号Ｓchの後述する中央所定設定情報に基づいて、中央ファン１６１を予め設定された所定回転数で駆動させる旨の要求を認識する。そして、所定回転数に対応する電流をコイルに印可し、この電流および円板体１６３Ａの磁性体が形成する磁界により、羽根車１６３を所定の方向に所定回転数で回転させる。また、中央ファン駆動部１６４は、制御部２２０から中央停止信号Ｓceを適宜取得する。中央ファン駆動部１６４は、中央停止信号Ｓceを取得すると、この中央停止信号Ｓceの後述する中央停止要求情報に基づいて、中央ファン１６１の駆動を停止させる旨を認識する。そして、コイルへの電流の印加を停止する。【００２５】
第２のファン部１７０は、制御部２２０などに接続されている。この第２のファン部１７０は、制御部２２０により制御され、詳しくは後述するがアンプ２００近傍の空気を音響再生装置１００の外部へ排出してアンプ２００を適宜冷却する。また、第１のファン部１６０から排出された空気を音響再生装置１００の外部へ適宜排出する。そして、第２のファン部１７０は、アンプ２００近傍などの空気を排出する冷却手段としての外縁ファン１７１と、この外縁ファン１７１を駆動する外縁ファン駆動部１７４と、などを備えている。【００２６】
外縁ファン１７１は、空気を排出する際に、空気の流れを回転軸に沿った方向に制限するいわゆる軸流ファンである。この外縁ファン１７１は、下ケース１１１の背面板部１１４近傍に配設されている。そして、外縁ファン１７１は、内部空間を有し短尺の略円筒状に形成されたファンケース１７２と、このファンケース１７２の内部空間に配設され適宜回転する羽根車１７３と、などを備えている。【００２７】
ファンケース１７２は、例えばプラスチックなどの材料により形成されている。このファンケース１７２における略円筒状の一方側の開口部は排気口１７２Ａとされ、他方側の開口部は吸気口１７２Ｂとされている。吸気口１７２Ｂの略中央には、吸気口１７２Ｂよりも小さい略円板状に形成され、例えば略棒状の図示しない複数の連結部材により保持された図示しないコイル配設部が設けられている。ここで、コイル配設部および連結部材は、吸気口１７２Ｂを完全に閉塞しない状態に設けられている。コイル配設部の排気口１７２Ａ側の面には、例えば略円形を描く状態に巻回され外縁ファン駆動部１７４に接続された図示しないコイルが配設されている。そして、ファンケース１７２は、排気口１７２Ａが背面板部１１４の放熱部１１４Ａが設けられた部分と略密着する状態に配設されている。【００２８】
羽根車１７３は、例えばファンケース１７２と同一の材料などにより短尺の略円柱状に形成された円柱体１７３Ａを有している。この円柱体１７３Ａの例えば両面における略中央には、略棒状の軸部１７３Ｂが平面方向と略直交する状態に設けられている。また、円柱体１７３Ａの一方側の面における例えば軸部１７３Ｂの周囲には、図示しない磁性体が配設されている。さらに、円柱体１７３Ａの円周面には、この円周面から略楕円薄板状に突出する状態に設けられ、円柱体１７３Ａが軸部１７３Ｂを中心に回転された際に磁性体が配設された面側の空気を磁性体が配設されていない面側へ案内する複数の羽根部１７３Ｃが一体的に形成されている。そして、羽根車１７３は、軸部１７３Ｂを中心に回転可能に、かつ、円柱体１７３Ａの磁性体が設けられた面がコイル配設部に設けられたコイルと略対向する状態に配設されている。【００２９】
外縁ファン駆動部１７４は、制御部２２０などに接続されている。この外縁ファン駆動部１７４は、制御部２２０から外縁基準駆動信号Ｓgsを適宜取得する。外縁ファン駆動部１７４は、外縁基準駆動信号Ｓgsを取得すると、この外縁基準駆動信号Ｓgsの後述する外縁基準設定情報に基づいて、外縁ファン１７１を予め設定された基準回転数で駆動させる旨の要求を認識する。そして、この基準回転数に対応する電流をコイルに印可し、この電流および円柱体１７３Ａの磁性体が形成する磁界により、羽根車１７３を所定の方向に基準回転数で回転させる。また、外縁ファン駆動部１７４は、制御部２２０から外縁高速駆動信号Ｓgkを適宜取得する。外縁ファン駆動部１７４は、外縁高速駆動信号Ｓgkを取得すると、この外縁高速駆動信号Ｓgkの後述する外縁高速設定情報に基づいて、外縁ファン１７１を基準回転数よりも大きい回転数である予め設定された高速回転数で駆動させる旨の要求を認識する。そして、基準回転数に対応する電流よりも大きいをコイルに印可し、羽根車１７３を所定の方向に高速回転数で回転させる。【００３０】
ディスク処理部１８０は、制御部２２０に接続されている。このディスク処理部１８０は、制御部２２０により制御され、ディスクの再生や停止などの処理を適宜実施する。そして、このディスク処理部１８０は、ディスク回転部１８１と、冷却対象部材としての電子部品であるピックアップ部１８２と、図示しない再生制御部と、などを備えている。【００３１】
ディスク回転部１８１は、ここでは図示しないが例えば中央ファン１６１の上方に配設されている。このディスク回転部１８１は、再生制御部により制御され、ケース体１１０外部から挿入されるディスクを保持して、その円周方向に適宜回転させる。そして、ディスク回転部１８１は、図示しない、ディスク保持部と、回転駆動部と、などを備えている。ディスク保持部は、例えばケース体１１０の正面にスリット状に穿設された図示しないディスク挿入孔から挿入されたディスクを適宜保持する。回転駆動部は、再生制御部から後述する回転駆動信号を取得する。そして、この回転駆動信号に基づいて、ディスク保持部にて保持されているディスクをその円周方向に所定回転数で適宜回転させる。また、回転駆動部は、再生制御部から後述する回転停止信号を取得する。そして、この回転停止信号に基づいて、ディスクの回転を停止させる。【００３２】
ピックアップ部１８２は、中央ファン１６１の上方に配設されている。また、ピックアップ部１８２は、ここでは図示しないが、ディスク回転部１８１のディスク保持部の下方に配設されている。このピックアップ部１８２は、熱に弱い部材であり、中央ファン１６１により適宜冷却される。このピックアップ部１８２は、再生制御部により制御され、ディスク回転部１８１にて回転されているディスクのディスク音声データを、ディスクの径方向に移動しながら適宜読み出して出力する。具体的には、ピックアップ部１８２は、再生制御部から後述する読取要求信号を適宜取得する。そして、この読取要求信号に基づいて、ディスク回転部１８１により回転されたディスクの記録面にレーザ光を照射する。また、ピックアップ部１８２は、記録面からの反射光を受光し、この反射光に基づいて、記録面に記録されたディスク音声データなどを読み取る。そして、この読み取ったディスク音声データを再生制御部へ出力する。さらに、ピックアップ部１８２は、再生制御部から後述する読取停止信号を適宜取得する。そして、この読取停止信号に基づいて、ディスク音声データの読み取りを停止する。【００３３】
再生制御部は、図示しないモジュール基板上に配設されている電子部品である。この再生制御部は、処理を実施すると熱を適宜発し、近傍に配置されたピックアップ部１８２の温度を上昇させる。この再生制御部は、制御部２２０により制御され、ディスク回転部１８１やピックアップ部１８２の動作を適宜制御する。具体的には、再生制御部は、制御部２２０から後述する再生開始信号Ｓymを適宜取得して、ディスクの再生を開始する旨の要求を認識する。そして、ディスクを所定回転数で回転させる旨を要求する回転駆動信号を適宜生成して、ディスク回転部１８１へ出力する。また、任意の楽曲に対応するディスク音声データを読み取って出力する旨を要求する読取要求信号を適宜生成して、ピックアップ部１８２へ出力する。さらに、再生制御部は、ピックアップ部１８２からディスク音声データを適宜取得する。そして、このディスク音声データをディスク音声データ信号Ｓdaに適宜変換して、制御部２２０へ出力する。さらに、再生制御部は、制御部２２０から後述する再生停止信号Ｓkkを適宜取得して、ディスクの再生を停止する旨の要求を認識する。そして、ディスクの回転を停止する旨の回転停止信号を適宜生成して、ディスク回転部１８１へ出力する。また、ディスク音声データの読み取りを停止する旨を要求する読取停止信号を適宜生成して、ピックアップ部１８２へ出力する。【００３４】
チューナ部１９０には、放送波を受信する図示しないアンテナが接続されている。また、チューナ部１９０は、制御部２２０に接続されている。そして、チューナ部１９０は、制御部２２０にて適宜制御され、アンテナにて受信され、このアンテナから入力されるラジオ番組のラジオ音声データなどの信号を取得する。そして、この取得した信号を受信信号Ｓtyに適宜変換して制御部２２０へ出力する。【００３５】
アンプ２００は、外縁ファン１７１の吸気口１７２Ｂと略対向する状態に配設されている。このアンプ２００は、処理を実施すると熱を適宜発する部材であり、外縁ファン１７１により適宜冷却される。アンプ２００は、制御部２２０と、図示しないスピーカに接続された例えば図示しないケーブルのプラグが着脱可能に接続されるコネクタなどの図示しない接続部と、などに接続されている。アンプ２００は、制御部２２０からディスク出力信号Ｓdsやラジオ出力信号Ｓrsを適宜取得する。また、アンプ２００は、制御部２２０から音量設定信号Ｓtiを適宜取得し、この音量設定信号Ｓtiの後述する音量設定要求情報に基づいて、後述する出力信号の出力値を任意の値に設定して出力する旨の要求を認識する。そして、アンプ２００は、ディスク出力信号Ｓdsのディスク音声データやラジオ出力信号Ｓrsのラジオ音声データを出力信号に適宜変換して、この出力信号の出力値を認識した任意の値に設定して、接続部に接続されるケーブルを介して接続されたスピーカへ出力する。これにより、スピーカからは、出力信号の出力値に対応した音量の音声が出力される。また、アンプ２００は、出力信号を出力する際に出力値が大きいほど高い温度の熱を発する。すなわち、アンプ２００は、スピーカから出力される音声の音量が大きいほど高い温度の熱を発し、例えば音量が予め設定された基準音量以下の場合、予め設定された基準温度以上の熱を発する。【００３６】
ダクト部１３０は、回路基板１２０上の中央ファン１６１から外縁ファン１７１の方向にかけての部分に配設されている。そして、ダクト部１３０は、内部空間を有する略矩形薄箱状に形成され下面および略矩形の短辺に対応する側面が開口されたダクト本体１３１と、略円筒状に形成され下面および側面の一部が開口された部品保護部１３２と、などを備えている。ダクト本体１３１は、略矩形板状の天板部１３１Ａと、この天板部１３１Ａの図２における右辺側の側縁に略垂直に屈曲形成された右側板部１３１Ｂと、天板部１３１Ａの左辺側の側縁に右側板部１３１Ｂと同方向に略垂直に屈曲形成された左側板部１３１Ｃと、にて下面および略矩形の短辺に対応する側面を開口して形成されている。このダクト本体１３１の開口された一方側の側面は排気口１３１Ｄとされ、他方側の側面は吸気口１３１Ｅとされている。そして、ダクト本体１３１は、排気口１３１Ｄが外縁ファン１７１に向けて開口される状態に、かつ、吸気口１３１Ｅが中央ファン１６１の排気口１６２Ａと略密着する状態に回路基板１２０上に配設されている。部品保護部１３２は、左側板部１３１Ｃにおける排気口１３１Ｄ側の先端部に設けられている。この部品保護部１３２は、軸方向がダクト本体１３１の上下方向と略一致する状態に、かつ、回路基板１２０上に配設された図示しない電子部品の上面および側面の一部を覆う状態に設けられている。なお、回路基板１２０、ダクト部１３０、外縁ファン１７１、および、放熱部１１４Ａにて、本発明の空気誘導手段が構成されている。また、回路基板１２０およびダクト部１３０にて、本発明の筒状部が構成されている。【００３７】
メモリ２１０は、音響再生装置１００全体を動作制御するＯＳ（Operating System）上に展開される各種プログラムなどを記憶している。このメモリ２１０としては、例えば停電などにより突然電源が落ちた際にも記憶が保持される構成のメモリ、例えばＣＭＯＳ（Complementary
Metal-Oxide Semiconductor）メモリなどを用いることが望ましい。なお、メモリ２１０としては、ＨＤ、ＤＶＤ、光ディスク、メモリカードなどの記録媒体に読み出し可能に記憶するドライブやドライバなどを備えた構成としてもよい。【００３８】
電力供給手段は、制御部２２０などに接続されている。この電力供給手段は、制御部２２０により制御され、音響再生装置１００への電力供給を適宜実施する。具体的には、電力供給手段は、制御部２２０からオン要求信号を適宜取得する。そして、音響再生装置１００への電力供給を直ちに開始して、音響再生装置１００の電源をオンにする。また、電力供給手段は、制御部２２０からオフ要求信号を適宜取得する。そして、音響再生装置１００への電力供給を直ちに終了して、音響再生装置１００の電源をオフにする。【００３９】
制御部２２０は、例えば回路基板１２０に配設されている。この制御部２２０は、図示しない各入出力ポート、例えば入力部１４０が接続される入力ポート、表示部１５０が接続される表示ポート、第１のファン部１６０が接続される中央ポート、第２のファン部１７０が接続される外縁ポート、ディスク回転部１８１が接続される回転ポート、ピックアップ部１８２が接続されるピックアップポート、チューナ部１９０が接続されるチューナポート、アンプ２００が接続されるアンプポート、メモリ２１０が接続されるメモリポート、電力供給手段が接続される電力供給ポートなどを有している。そして、制御部２２０は、各種プログラムとして、電力供給制御手段２２１と、ディスク処理部制御手段２２２と、ラジオ出力制御手段２２３と、音量制御手段２２４と、処理要求信号取得手段および信号冷却能力設定手段としても機能する信号認識冷却制御手段としてのファン制御手段２２５と、などを備えている。なお、放熱部１１４Ａ、回路基板１２０、ダクト部１３０、中央ファン１６１、外縁ファン１７１、および、ファン制御手段２２５にて本発明の冷却装置が構成されている。ここで、本発明の冷却装置としては、少なくとも中央ファン１６１および外縁ファン１７１を備えた構成などとしてもよい。【００４０】
電力供給制御手段２２１は、入力操作に応じて入力部１４０から出力される信号に基づいて、電力供給手段の動作を適宜制御する。具体的には、電力供給制御手段２２１は、入力部１４０からオン信号Ｓonを適宜取得して、音響再生装置１００の電源をオンする旨の設定入力を認識する。そして、電源をオンする旨を要求するオン要求信号を適宜生成して、電力供給手段へ出力する。また、電力供給制御手段２２１は、入力部１４０からオフ信号Ｓofを適宜取得して、音響再生装置１００の電源をオフする旨の設定入力を認識する。そして、電源をオフする旨を要求するオフ要求信号を適宜生成して、電力供給手段へ出力する。【００４１】
ディスク処理部制御手段２２２は、入力操作に応じて入力部１４０から出力される信号に基づいて、ディスク処理部１８０を適宜制御し、ディスクに記録された例えば任意の楽曲を再生する処理などディスクに関する処理を適宜実施させる。具体的には、ディスク処理部制御手段２２２は、入力部１４０からディスク開始信号Ｓdiを適宜取得して、例えば任意の楽曲を再生する旨を要求する設定入力を認識する。そして、ディスクを再生する旨の再生開始信号Ｓymを適宜生成して、ディスク処理部１８０へ出力する。また、ディスク処理部制御手段２２２は、ディスク処理部１８０からディスク音声データ信号Ｓdaを適宜取得する。そして、このディスク音声データ信号Ｓdaのディスク音声データをディスク出力信号Ｓdsに適宜変換して、アンプ２００へ出力する。さらに、ディスク処理部制御手段２２２は、入力部１４０からディスク停止信号Ｓdtを適宜取得して、ディスクの再生を停止する旨を要求する設定入力を認識する。そして、再生を停止する旨の再生停止信号Ｓkkを適宜生成して、ディスク処理部１８０へ出力する。【００４２】
ラジオ出力制御手段２２３は、入力操作に応じて入力部１４０から出力される信号に基づいて、チューナ部１９０を適宜制御し、例えばラジオ音声の出力やラジオ局の選局などラジオに関する処理を適宜実施する。具体的には、ラジオ出力制御手段２２３は、入力部１４０からラジオ信号Ｓraを適宜取得して、例えば任意のラジオ局のラジオ音声出力を要求する設定入力を認識する。そして、チューナ部１９０にアンテナから入力される信号を取得させ、この信号を受信信号Ｓtyに適宜変換させて出力させる。また、ラジオ出力制御手段２２３は、受信信号Ｓtyを適宜取得して、この受信信号のＳtyのラジオ音声データをラジオ出力信号Ｓrsに適宜変換して、アンプ２００へ出力する。【００４３】
音量制御手段２２４は、入力操作に応じて入力部１４０から出力される信号に基づいて、アンプ２００を適宜制御し、スピーカから出力されている音声の音量を設定する処理を適宜実施する。具体的には、音量制御手段２２４は、入力部１４０から音量信号Ｓvoを適宜取得して、音量を任意の大きさに設定する旨を要求する設定入力を認識する。そして、出力信号の出力値を任意の値に設定する旨を要求する音量設定要求情報を適宜生成する。音量制御手段２２４は、音量設定要求情報を生成すると、この音量設定要求情報を音量設定信号Ｓtiに適宜変換して、アンプ２００へ出力する。【００４４】
ファン制御手段２２５は、入力操作に応じて入力部１４０から出力される信号に基づいて、中央ファン１６１および外縁ファン１７１の動作を適宜制御する。具体的には、ファン制御手段２２５は、入力部１４０からディスク開始信号Ｓdiを適宜取得して、音響再生装置１００がディスク処理部１８０にてディスクの再生を実施するモード（以下、ディスクモードと称す）であることを認識する。ファン制御手段２２５は、ディスクモードであることを認識すると、中央ファン１６１の冷却能力である回転数を所定回転数に設定する。そして、中央ファン１６１を所定回転数で駆動させる旨を要求する中央所定設定情報を生成し、この中央所定設定情報を中央所定駆動信号Ｓchに適宜変換して第１のファン部１６０へ出力する。また、ファン制御手段２２５は、入力部１４０からディスク停止信号Ｓdtを適宜取得して、ディスクの再生を停止する旨を認識する。ファン制御手段２２５は、ディスクの再生停止を認識すると、中央ファン１６１の駆動を停止する旨を要求する中央停止要求情報を適宜生成する。そして、この中央停止要求情報を中央停止信号Ｓceに適宜変換して第１のファン部１６０へ出力する。【００４５】
また、ファン制御手段２２５は、入力部１４０からラジオ信号Ｓraを適宜取得して、音響再生装置１００がチューナ部１９０にて処理を実施するモード（以下、ラジオモードと称す）であることを認識する。ファン制御手段２２５は、ラジオモードであることを認識すると、中央停止要求情報を適宜生成する。そして、この中央停止要求情報を中央停止信号Ｓceに適宜変換して、第１のファン部１６０へ出力する。【００４６】
さらに、ファン制御手段２２５は、入力部１４０から音量信号Ｓvoを適宜取得して、設定する音量が基準音量以上か否かを判断する。そして、基準音量以下であると判断した場合、外縁ファン１７１の冷却能力である回転数を基準回転数に設定する。そして、外縁ファン１７１を基準回転数で駆動させる旨を要求する外縁基準設定情報を生成し、この外縁基準設定情報を外縁基準駆動信号Ｓgsに適宜変換して第２のファン部１７０へ出力する。また、ファン制御手段２２５は、設定する音量が基準音量以上であると判断した場合、外縁ファン１７１の冷却能力である回転数を高速回転数に設定する。そして、外縁ファン１７１を高速回転数で駆動させる旨を要求する外縁高速設定情報を生成し、この外縁高速設定情報を外縁高速駆動信号Ｓgkに適宜変換して第２のファン部１７０へ出力する。【００４７】
〔音響再生装置の動作〕
次に、音響再生装置１００の動作として、音響再生装置１００の冷却処理について、図５に基づいて説明する。図５は、音響再生装置の冷却処理を示すフローチャートである。【００４８】
まず、音響再生装置１００の制御部２２０は、図５に示すように、電力供給制御手段２２１にて、利用者による電源をオンする旨の電源オン操作を認識する（ステップＳ１０１）と、オン要求信号を電力供給手段へ出力する。電力供給手段は、オン要求信号を取得すると、音響再生装置１００への電力の供給を開始して電源をオンする（ステップＳ１０２）。そして、ファン制御手段２２５は、音響再生装置１００がディスクモードであるか否か、すなわち利用者によるディスクの再生を開始する旨の設定入力を認識したか否かを判断する。（ステップＳ１０３）。【００４９】
このステップＳ１０３において、ファン制御手段２２５は、ディスクモードであると判断した場合、中央ファン１６１の回転数を所定回転数に設定して、中央所定設定情報を第１のファン部１６０へ出力する。第１のファン部１６０は、中央所定設定情報を取得すると、中央ファン駆動部１６４にて、中央ファン１６１を所定回転数で駆動させる（ステップＳ１０４）。中央ファン１６１は、所定回転数で駆動すると、吸気口１６２Ｂ近傍の空気を排気口１６２Ａおよびダクト部１３０を介して外縁ファン１７１の方向へ排出し、所定回転数に対応した冷却度でピックアップ部１８２を冷却する。また、ディスク処理部制御手段２２２は、ディスク処理部１８０を制御して、ディスクの再生を開始する（ステップＳ１０５）。そして、ディスク処理部１８０の再生制御部は、ディスクの再生処理を実施すると熱を発する。また、音量制御手段２２４は、利用者により設定された音量に関する音量設定要求情報を生成してアンプ２００へ出力する。アンプ２００は、音量設定要求情報を取得すると、出力信号の出力値を設定して、スピーカから出力される音声の音量を設定する。そして、アンプ２００は、スピーカから出力される音声の音量が大きいほど高い温度の熱を発する。【００５０】
一方、ステップＳ１０３において、ファン制御手段２２５は、ディスクモードではなくラジオモードであると判断した場合、すなわち利用者によるチューナ部１９０に処理を実施させる旨の設定入力を認識した場合、中央ファン１６１の駆動を停止させる中央停止要求情報を第１のファン部１６０へ出力する。第１のファン部１６０は、中央停止要求情報を取得すると、中央ファン１６１が駆動している場合、中央ファン１６１の駆動を停止させる（ステップＳ１０６）。これにより、中央ファン１６１は、ピックアップ部１８２の冷却を停止する。そして、ディスク処理部１８０の再生制御部は、ラジオモードのため処理を実施しないので熱を発しない。また、ラジオ出力制御手段２２３は、チューナ部１９０を制御して、ラジオ音声の出力を開始する（ステップＳ１０７）。そして、音量制御手段２２４は、アンプ２００を制御して、スピーカから出力される音声の音量を利用者により設定されたものに設定する。また、アンプ２００は、スピーカから出力される音声の音量が大きいほど高い温度の熱を発する。【００５１】
そして、ファン制御手段２２５は、利用者により設定された音量が基準音量以下であるか否かを判断する（ステップＳ１０８）。このステップＳ１０８において、ファン制御手段２２５は、音量が基準音量以下であると判断した場合、外縁ファン１７１の回転数を基準回転数に設定して、外縁基準設定情報を第２のファン部１７０へ出力する。第２のファン部１７０は、外縁基準設定情報を取得すると、外縁ファン駆動部１７４にて、外縁ファン１７１を基準回転数で駆動させる（ステップＳ１０９）。外縁ファン１７１は、基準回転数で駆動すると、吸気口１７２Ｂ近傍の空気を排気口１７２Ａおよび放熱部１１４Ａを介してケース体１１０の外部へ排出し、基準回転数に対応した冷却度でアンプ２００を冷却する。ここで、外縁ファン１７１は、中央ファン１６１によりダクト部１３０を介して排出された空気もケース体１１０の外部へ排出する。【００５２】
一方、ステップＳ１０８において、ファン制御手段２２５は、音量が基準音量以上であると判断した場合、外縁ファン１７１の回転数を高速回転数に設定して、外縁高速設定情報を第２のファン部１７０へ出力する。第２のファン部１７０は、外縁高速設定情報を取得すると、外縁ファン駆動部１７４にて、外縁ファン１７１を基準回転数よりも大きい高速回転数で駆動させる（ステップＳ１１０）。外縁ファン１７１は、高速回転数で駆動すると、基準回転数の時よりも多量の空気を外部へ排出し、高速回転数に対応した冷却度、すなわち基準回転数に対応した冷却度よりも高い冷却度でアンプ２００を冷却する。【００５３】
この後、制御部２２０は、電力供給制御手段２２１にて、電源をオフする旨の電源オフ操作が実施されたか否かを判断する（ステップＳ１１１）。このステップＳ１１１において、制御部２２０は、電力供給制御手段２２１で電源オフ操作が実施されていないと判断した場合、ステップＳ１０３に戻る。一方、ステップＳ１１１において、電力供給制御手段２２１は、電源オフ操作が実施されたと判断した場合、オフ要求信号を電力供給手段へ出力する。電力供給手段は、オフ要求信号を取得すると、音響再生装置１００への電力の供給を停止し電源をオフして（ステップＳ１１２）、音響再生装置１００の冷却処理を終了する。【００５４】
〔第１の実施の形態の作用効果〕
上述したように、上記第１の実施の形態では、以下に示すような作用効果を奏することができる。【００５５】
（１）音響再生装置１００のケース体１１０内部に配設されたピックアップ部１８２の近傍に、このピックアップ部１８２を冷却する中央ファン１６１を設けている。また、ケース体１１０内部に配設されたアンプ２００の近傍に、このアンプ２００を冷却する外縁ファン１７１を設けている。このため、音響再生装置１００は、例えばディスク再生によるディスク処理部１８０の再生制御部の発熱に伴いピックアップ部１８２の温度が上昇する場合、このピックアップ部１８２近傍の中央ファン１６１のみを駆動させるだけで冷却できる。また、例えば音量設定に伴いアンプ２００の温度が上昇する場合、このアンプ２００近傍の外縁ファン１７１のみを駆動させるだけで冷却できる。したがって、例えばケース体１１０の略中央に位置するピックアップ部１８２とケース体１１０の隅部に位置するアンプ２００とを１つのファンで冷却する構成と比べて、冷却に必要な各ファン１６１，１７１の回転数を少なくできる。よって、音響再生装置１００は、各ファン１６１，１７１の動作音を大きくすることなく良好にピックアップ部１８２やアンプ２００を冷却できる。【００５６】
（２）音響再生装置１００は、各ファン１６１，１７１でピックアップ部１８２やアンプ２００近傍の空気をこれらから離れた位置へ排出することにより、ピックアップ部１８２やアンプ２００を冷却する。このため、例えばピックアップ部１８２やアンプ２００に冷風を送ることにより冷却する構成と比べて、ケース体１１０内部の空気の流れを抑えることができる。したがって、ケース体１１０内部の汚染を抑えることができる。【００５７】
（３）音響再生装置１００は、中央ファン１６１にて、空気誘導手段を構成するダクト部１３０、外縁ファン１７１、および、放熱部１１４Ａを介して、ピックアップ部１８２近傍の空気をケース体１１０外部へ排出することによりピックアップ部１８２を冷却する。このため、音響再生装置１００は、中央ファン１６１により排出される空気の流れをダクト部１３０および外縁ファン１７１近傍のみに制限できる。したがって、中央ファン１６１により排出される空気によるケース体１１０内部の汚染を最小限に抑えることができる。【００５８】
（４）音響再生装置１００は、ダクト本体１３１などを有するダクト部１３０を備えている。ダクト本体１３１は、内部空間を有する略矩形薄箱状に形成され下面および略矩形の短辺に対応する側面が開口されている。そして、ダクト部１３０を回路基板１２０上に配設することにより筒状部を構成している。このため、音響再生装置１００は、中央ファン１６１により排出される空気の流れを筒状部でより制限できる。したがって、中央ファン１６１により排出される空気によるケース体１１０内部の汚染をより抑えることができる。また、回路基板１２０上にダクト部１３０を配設するだけの簡単な構成でケース体１１０内部の汚染をより抑えることができ、音響再生装置１００の耐塵埃性能を高めることができる。【００５９】
（５）音響再生装置１００は、ファン制御手段２２５にて、入力部１４０から例えばディスクの再生などディスク処理部１８０の再生制御部に処理を実施させる旨のディスク開始信号Ｓdiを取得すると、中央ファン１６１を予め設定された所定回転数で駆動させ、ピックアップ部１８２の冷却を開始する。また、ファン制御手段２２５は、入力部１４０から例えばラジオ音声の出力などチューナ部１９０に処理を実施させる旨のラジオ信号Ｓraを取得すると、中央ファン１６１の駆動を停止させ、ピックアップ部１８２の冷却を停止する。このため、音響再生装置１００は、ディスク処理部１８０の再生制御部が処理を実施して熱を発する場合、中央ファン１６１によりピックアップ部１８２を冷却できる。また、音響再生装置１００は、ラジオモードのためディスク処理部１８０の再生制御部が処理を実施せずに熱を発しない場合、ピックアップ部１８２の冷却を停止できる。したがって、音響再生装置１００は、中央ファン１６１の動作音を必要最小限に抑えることができ、より良好に冷却できる。また、音響再生装置１００の消費電力を最小限に抑えることができる。【００６０】
（６）音響再生装置１００は、ファン制御手段２２５にて、入力部１４０から音量を設定する旨の音量信号Ｓvoを取得すると、この音量信号Ｓvoに基づいて設定する音量が基準音量以下であるか否かを判断する。そして、音量が基準音量以下であると判断した場合、外縁ファン１７１を基準回転数で駆動させ、基準回転数に対応した冷却度でアンプ２００の冷却を開始する。一方、ファン制御手段２２５は、音量が基準音量以上であると判断した場合、外縁ファン１７１を基準回転数よりも大きい高速回転数で駆動させ、基準回転数に対応した冷却度よりも高い冷却度でアンプ２００の冷却を開始する。したがって、音響再生装置１００は、アンプ２００の音量に応じて外縁ファン１７１の回転数を設定するので、外縁ファン１７１の動作音を必要最小限に抑えることができ、さらに良好に冷却できる。また、音響再生装置１００の消費電力を最小限に抑えることができる。【００６１】
（７）本発明の冷却装置を、音響再生装置１００に適用している。このため、音響再生装置１００は、ケース体１１０内部に配設されたピックアップ部１８２やアンプ２００などを良好に冷却できる。したがって、熱に弱い例えばピックアップ部１８２などのサーマルシャットダウン（過熱保護動作）や故障などを最小限に抑えることができ、音響再生装置１００の利便性を高めることができる。【００６２】
（８）ダクト部１３０は、排気口１３１Ｄが外縁ファン１７１に向けて開口する状態に配設されている。そして、外縁ファン１７１は、アンプ２００近傍の空気に加え、中央ファン１６１により排出されたピックアップ部１８２近傍の空気も放熱部１１４Ａを介してケース体１１０の外部へ排出する。このため、音響再生装置１００は、１つの放熱部１１４Ａで、中央ファン１６１および外縁ファン１７１からの空気をケース体１１０外部へ排出できる。したがって、放熱部１１４Ａを設けるスペースを最小限に抑えることができ、例えばコネクタ部１１４Ｂなどを設けるスペースをより大きくできる。よって、例えば各コネクタ部１１４Ｂの間隔を広げることができ、コネクタなどの接続作業をより容易にできる。また、より多くのコネクタ部１１４Ｂを配置することができる。【００６３】
［第２の実施の形態］
次に、本発明に係る第２の実施の形態を図面に基づいて説明する。図６は、第２の実施の形態に係る音響再生装置の概略構成を示すブロック図である。なお、第１の実施の形態と同一の構成については、同一の符号を付して説明を省略または簡略化する。【００６４】
〔音響再生装置の構成〕
図６において、３００は第１の実施の形態の音響再生装置１００と同様の車載用の音響再生装置である。そして、音響再生装置３００は、図２ないし図４に示すように、ケース体１１０と、回路基板１２０と、ダクト部１３０と、図６に示すように、入力部１４０と、表示部１５０と、第１のファン部３１０と、第２のファン部３２０と、ディスク処理部１８０と、チューナ部１９０と、アンプ２００と、メモリ２１０と、温度検出手段としての第１のサーミスタ３３０と、温度検出手段としての第２のサーミスタ３４０と、制御部３５０と、図示しない電力供給手段と、などを備えている。【００６５】
ケース体１１０には、回路基板１２０と、ダクト部１３０と、入力部１４０と、表示部１５０と、第１のファン部３１０と、第２のファン部３２０と、ディスク処理部１８０と、チューナ部１９０と、アンプ２００と、メモリ２１０と、第１のサーミスタ３３０と、第２のサーミスタ３４０と、制御部３５０と、電力供給手段と、などが配設されている。【００６６】
第１のファン部３１０は、中央ファン１６１と、中央ファン駆動部３１１と、などを備えている。中央ファン駆動部３１１は、制御部３５０から中央調整駆動信号Ｓccを適宜取得する。中央ファン駆動部３１１は、中央調整駆動信号Ｓccを取得すると、この中央調整駆動信号Ｓccの後述する中央調整設定情報に基づいて、制御部３５０により設定された回転数である中央調整回転数で中央ファン１６１を駆動させる旨の要求を認識する。そして、この中央調整回転数に対応する電流をコイルに印可し、羽根車１６３を中央調整回転数で回転させる。【００６７】
第２のファン部３２０は、ファンケース１７２と、外縁ファン駆動部３２１と、などを備えている。外縁ファン駆動部３２１は、制御部３５０から外縁調整駆動信号Ｓgcを取得すると、この外縁調整駆動信号Ｓgcの後述する外縁調整設定情報に基づいて、制御部３５０により設定された回転数である外縁調整回転数で外縁ファン１７１を駆動させる旨の要求を認識する。そして、この外縁調整回転数に対応する電流をコイルに印可し、羽根車１７３を外縁調整回転数で回転させる。【００６８】
第１のサーミスタ３３０は、ここでは図示しないがピックアップ部１８２近傍に配設されている。この第１のサーミスタ３３０は、制御部３５０などに接続されている。第１のサーミスタ３３０は、ピックアップ部１８２の温度を適宜検出し、この検出した温度に対応するピックアップ温度信号を温度信号Ｓnuに適宜変換して制御部３５０へ出力する。なお、この第１のサーミスタ３３０は、一般的なピックアップ部１８２に設けられているものを利用してもよい。【００６９】
第２のサーミスタ３４０は、ここでは図示しないがアンプ２００近傍に配設されている。この第２のサーミスタ３４０は、制御部３５０などに接続されている。第２のサーミスタ３４０は、アンプ２００の温度を適宜検出し、この検出した温度に対応するアンプ温度信号を温度信号Ｓmuに適宜変換して制御部３５０へ出力する。【００７０】
制御部３５０は、例えば回路基板１２０に配設されている。この制御部３５０は、図示しない各入出力ポート、例えば入力部１４０が接続される入力ポート、表示部１５０が接続される表示ポート、第１のファン部３１０が接続される中央ポート、第２のファン部３２０が接続される外縁ポート、ディスク処理部１８０ディスクポート、チューナ部１９０が接続されるチューナポート、アンプ２００が接続されるアンプポート、メモリ２１０が接続されるメモリポート、第１のサーミスタ３３０が接続される第１の温度ポート、第２のサーミスタ３４０が接続される第２の温度ポート、電力供給手段が接続される電力供給ポートなどを有している。そして、制御部３５０は、各種プログラムとして、電力供給制御手段２２１と、ディスク処理部制御手段２２２と、ラジオ出力制御手段２２３と、音量制御手段２２４と、温度冷却能力設定手段としても機能する温度認識冷却制御手段としてのファン制御手段３５１と、などを備えている。なお、放熱部１１４Ａ、回路基板１２０、ダクト部１３０、中央ファン１６１、外縁ファン１７１、および、ファン制御手段３５１にて本発明の冷却装置が構成されている。ここで、本発明の冷却装置としては、少なくとも中央ファン１６１および外縁ファン１７１を備えた構成などとしてもよい。【００７１】
ファン制御手段３５１は、各サーミスタ３３０，３４０から出力される温度信号Ｓnu，Ｓmuに基づいて、中央ファン１６１および外縁ファン１７１の動作を適宜制御する。具体的には、ファン制御手段３５１は、第１のサーミスタ３３０から温度信号Ｓnuを適宜取得する。そして、この温度信号Ｓnuのピックアップ温度信号に基づいて、ピックアップ部１８２の温度であるピックアップ温度を認識する。ファン制御手段３５１は、ピックアップ温度を認識すると、中央ファン１６１の冷却能力である回転数をピックアップ温度に対応する中央調整回転数に設定する。ここで、ファン制御手段３５１は、ピックアップ温度が高いほど中央調整回転数を大きい回転数に設定する。また、ピックアップ温度が例えば予め設定されたピックアップ基準温度以下の場合、中央調整回転数をゼロに設定する。そして、ファン制御手段３５１は、中央ファン１６１を中央調整回転数で回転させる旨を要求する中央調整設定情報を生成し、この中央調整設定情報を中央調整駆動信号Ｓccに適宜変換して第１のファン部３１０へ出力する。【００７２】
また、ファン制御手段３５１は、第２のサーミスタ３４０から温度信号Ｓmuを適宜取得する。そして、この温度信号Ｓmuのアンプ温度信号に基づいて、アンプ２００の温度であるアンプ温度を認識する。ファン制御手段３５１は、アンプ温度を認識すると、外縁ファン１７１の冷却能力である回転数をアンプ温度に対応する外縁調整回転数に設定する。ここで、ファン制御手段３５１は、アンプ温度が高いほど外縁調整回転数を大きい回転数に設定する。また、アンプ温度が例えば予め設定されたアンプ基準温度以下の場合、外縁調整回転数をゼロに設定する。そして、ファン制御手段３５１は、外縁ファン１７１を外縁調整回転数で回転させる旨を要求する外縁調整設定情報を生成し、この外縁調整設定情報を外縁調整駆動信号Ｓgcに適宜変換して第２のファン部３２０へ出力する。【００７３】
〔音響再生装置の動作〕
次に、音響再生装置３００の動作として、音響再生装置３００の冷却処理について、図７に基づいて説明する。図７は、音響再生装置の冷却処理を示すフローチャートである。なお、例えば雰囲気温度の上昇により、音響再生装置３００の温度が上昇した場合も同様に動作する。また、第１の実施の形態の処理と同様の処理については、その説明を簡略化する。【００７４】
まず、音響再生装置３００の制御部３５０は、図７に示すように、電力供給制御手段２２１にて、電源オン操作を認識する（ステップＳ２０１）。そして、電力供給制御手段２２１は、電力供給手段を制御して、音響再生装置３００の電源をオンする（ステップＳ２０２）。この後、制御部３５０は、利用者による設定入力を適宜認識して、ディスク処理部制御手段２２２の制御によるディスクの再生、または、ラジオ出力制御手段２２３の制御によるラジオ音声の出力を実施する（ステップＳ２０３）。そして、例えばディスク処理部１８０によりディスクの再生が実施された場合、ディスク処理部１８０の再生制御部が熱を発するとともに、アンプ２００が音量に対応した熱を発する。また、例えばチューナ部１９０によりラジオ音声の出力が実施された場合、ディスク処理部１８０の再生制御部が熱を発しないで、アンプ２００が音量に対応した熱を発する。【００７５】
この後、第２のサーミスタ３４０は、アンプ２００の温度を適宜検出して、アンプ温度信号をファン制御手段３５１へ出力する。ファン制御手段３５１は、第２のサーミスタ３４０からアンプ温度信号を取得すると、このアンプ温度信号に基づいてアンプ温度を認識する（ステップＳ２０４）。この後、ファン制御手段３５１は、外縁ファン１７１の回転数をアンプ温度に対応する外縁調整回転数に設定して（ステップＳ２０５）、外縁調整設定情報を第２のファン部３２０へ出力する。第２のファン部３２０は、外縁調整設定情報を取得すると、外縁ファン駆動部１７４にて、外縁ファン１７１を外縁調整回転数で駆動させ（ステップＳ２０６）、外縁調整回転数に対応した冷却度でアンプ２００を冷却する。【００７６】
また、第１のサーミスタ３３０は、ピックアップ部１８２の温度を適宜検出して、ピックアップ温度信号をファン制御手段３５１へ出力する。ファン制御手段３５１は、第１のサーミスタ３３０からピックアップ温度信号を取得すると、このピックアップ温度信号に基づいてピックアップ温度を認識する（ステップＳ２０７）。この後、ファン制御手段３５１は、中央ファン１６１の回転数をピックアップ温度に対応する中央調整回転数に設定して（ステップＳ２０８）、中央調整設定情報を第１のファン部３１０へ出力する。第１のファン部３１０は、中央調整設定情報を取得すると、中央ファン駆動部１６４にて、中央ファン１６１を中央調整回転数で駆動させ（ステップＳ２０９）、中央調整回転数に対応した冷却度でピックアップ部１８２を冷却する。【００７７】
この後、制御部３５０は、電力供給制御手段２２１にて、電源をオフする旨の電源オフ操作が実施されたか否かを判断する（ステップＳ２１０）。このステップＳ２１０において、制御部３５０は、電力供給制御手段２２１で電源オフ操作が実施されていないと判断した場合、ステップＳ２０４に戻る。一方、ステップＳ２１０において、電力供給制御手段２２１は、電源オフ操作が実施されたと判断した場合、電力供給手段を制御して、音響再生装置３００の電源をオフして（ステップＳ２１１）、音響再生装置３００の冷却処理を終了する。【００７８】
〔第２の実施の形態の作用効果〕
上述したように、上記第２の実施の形態では、第１の実施の形態の（１）ないし（４）、（７）、（８）と同様の作用効果に加え以下に示す作用効果を奏することができる。【００７９】
（９）音響再生装置３００は、第１のサーミスタ３３０にて、ピックアップ部１８２の温度を検出し、この検出した温度に対応するピックアップ温度信号をファン制御手段３５１へ出力する。また、第２のサーミスタ３４０は、アンプ２００の温度を検出し、この検出した温度に対応するアンプ温度信号をファン制御手段３５１へ出力する。ファン制御手段３５１は、ピックアップ温度信号を取得すると、中央ファン１６１をピックアップ温度に対応した中央調整回転数で駆動させ、ピックアップ部１８２の冷却を開始する。また、ファン制御手段３５１は、アンプ温度信号を取得すると、外縁ファン１７１をアンプ温度に対応した外縁調整回転数で駆動させ、アンプ２００の冷却を開始する。このため、音響再生装置３００は、ディスク再生によるディスク処理部１８０の再生制御部の発熱に伴い、ピックアップ部１８２の温度が上昇していることを認識した場合、中央ファン１６１により冷却できる。また、音響再生装置３００は、例えばアンプ２００が処理を実施して熱を発していることを認識した場合、外縁ファン１７１により冷却できる。したがって、音響再生装置３００は、各ファン１６１，１７１の動作音を必要最小限に抑えることができ、より良好に冷却できる。また、音響再生装置３００は、実際に検出する温度に基づいて各ファン１６１，１７１の動作を制御するので、例えば雰囲気温度によりピックアップ部１８２やアンプ２００の温度が上昇した場合にも冷却できる。したがって、第１の実施の形態の音響再生装置１００と比べて、より良好に冷却できる。さらに、音響再生装置３００の消費電力を最小限に抑えることができる。【００８０】
（１０）ファン制御手段３５１は、ピックアップ温度が高いほど中央調整回転数を大きい回転数に設定する。同様に、アンプ温度が高いほど外縁調整回転数を大きい回転数に設定する。このため、中央ファン１６１は、ピックアップ部１８２の温度が高いほど高い冷却度で冷却できる。同様に、外縁ファン１７１は、アンプ２００の温度が高いほど高い冷却度で冷却できる。したがって、音響再生装置３００は、ピックアップ部１８２やアンプ２００の温度によらず、これらを迅速に冷却できる。【００８１】
［実施の形態の変形］
なお、本発明は、上述した実施の形態に限定されるものではなく、本発明の目的を達成できる範囲で以下に示される変形をも含むものである。【００８２】
すなわち、各実施の形態において、中央ファン１６１や外縁ファン１７１の代わりに、ピックアップ部１８２やアンプ２００に冷風を送るファンを設けた構成などとしてもよい。このような構成にすれば、一般的に安価なファンを用いるので、音響再生装置１００，３００のコストを削減できる。【００８３】
各実施の形態において、ダクト部１３０を設けない構成などとしてもよい。また、ダクト本体１３１に天板部１３１Ａを設けない構成などとしてもよい。このような構成にすれば、音響再生装置１００，３００の軽量化やコスト削減を図ることができる。【００８４】
第１の実施の形態において、ファン制御手段２２５にて、設定される音量に対応する回転数で外縁ファン１７１を駆動させる構成などとしてもよい。このような構成にすれば、外縁ファン１７１は、例えば設定される音量が大きいほど、すなわちアンプ２００が発する温度が高いほど大きい回転数でアンプ２００を冷却できる。したがって、音響再生装置１００は、例えば設定される音量によらず、アンプ２００を迅速に冷却できる。【００８５】
第２の実施の形態において、ファン制御手段３５１に、ピックアップ温度やアンプ温度に対応する各調整回転数を設定する機能を設けずに、例えば以下のような機能を設ける構成などとしてもよい。すなわち、ファン制御手段３５１に、ピックアップ温度が予め設定されたピックアップ基準温度以上の場合、ピックアップ温度によらず中央ファン１６１の回転数を予め設定された所定回転数に設定する機能を設ける。アンプ温度が予め設定されたアンプ基準温度以下の場合に、アンプ温度によらず外縁ファン１７１の回転数を予め設定された基準回転数に設定し、アンプ温度がアンプ基準温度以上の場合に、アンプ温度によらず外縁ファン１７１の回転数を基準回転数よりも大きい予め設定された高速回転数に設定する機能を設ける構成などとしてもよい。このような構成にすれば、ファン制御手段３５１の構成を簡略化できる。また、各ファン１６１，１７１の回転数を設定する処理をより迅速にできるので、ピックアップ部１８２やアンプ２００の冷却をより速いタイミングで開始できる。【００８６】
本発明の電子機器として、ディスクの再生やラジオ番組の出力を実施する音響再生装置１００，３００を例示したが、これに限らず例えばＤＶＤ（Digital
Versatile Disc）やＨＤ（Hard Disk）などの各種記録媒体に記録された映像や楽曲の記録や再生をする記録装置や再生装置あるいは記録再生装置、パーソナルコンピュータなどとしてもよい。【００８７】
本発明の冷却装置を、電子機器としての音響再生装置１００，３００に適用した構成について例示したが、これに限らず複数の冷却対象部材を備えたいずれの構成に適用してもよい。【００８８】
各実施の形態において、ダクト部１３０を排気口１３１Ｄが外縁ファン１７１に向けて開口する状態に設けた構成について例示したが、これに限らず例えば以下のような構成などとしてもよい。すなわち、例えば背面板部１１４に、放熱部１１４Ａと同様の放熱部をさらに設ける。そして、この放熱部に向けて排気口１３１Ｄが開口する状態にダクト部１３０を設ける構成などとしてもよい。【００８９】
その他、本発明の実施の際の具体的な構造および手順は、本発明の目的を達成できる範囲で他の構造などに適宜変更できる。【００９０】
［実施形態の作用効果］
上述したように、上記実施の形態では、音響再生装置１００のケース体１１０内部に配設されたピックアップ部１８２の近傍に、このピックアップ部１８２を冷却する中央ファン１６１を設けている。また、ケース体１１０内部に配設されたアンプ２００の近傍に、このアンプ２００を冷却する外縁ファン１７１を設けている。このため、音響再生装置１００は、例えばピックアップ部１８２の温度が上昇する場合、このピックアップ部１８２近傍の中央ファン１６１のみを駆動させるだけで冷却できる。また、例えばアンプ２００の温度が上昇する場合、このアンプ２００近傍の外縁ファン１７１のみを駆動させるだけで冷却できる。したがって、例えばケース体１１０の略中央に位置するピックアップ部１８２とケース体１１０の隅部に位置するアンプ２００とを１つのファンで冷却する構成と比べて、冷却に必要な各ファン１６１，１７１の回転数を少なくできる。よって、音響再生装置１００は、各ファン１６１，１７１の動作音を大きくすることなく良好にピックアップ部１８２やアンプ２００を冷却できる。
【産業上の利用可能性】
【００９１】
本発明は、ケース体内部に配置された複数の冷却対象部材を冷却する冷却装置および冷却方法として利用でき、各種の電子機器に利用できる。
【図１】
2005091693.tif 000003
【図２】
2005091693.tif 000004
【図３】
2005091693.tif 000005
【図４】
2005091693.tif 000006
【図５】
2005091693.tif 000007
【図６】
2005091693.tif 000008
【図７】
2005091693.tif 000009
【手続補正書】
【提出日】平成18年4月27日(2006.4.27)
【手続補正１】
【補正対象書類名】特許請求の範囲
【補正対象項目名】全文
【補正方法】変更
【補正の内容】
【書類名】請求の範囲
【請求項１】ケース体内部に配置された複数の冷却対象部材を冷却する冷却装置であって、
前記複数の冷却対象部材は、各々所定の処理を実施する際に温度が上昇する部材であり、
前記複数の冷却対象部材をそれぞれ冷却する複数の冷却手段が前記冷却対象部材のそれぞれの近傍に設けられ、
前記複数の冷却対象部材のうちの少なくともいずれか１つに前記処理を実施させる旨の処理要求信号を生成する信号生成手段と、
前記信号生成手段から前記処理要求信号を取得する処理要求信号取得手段と、
前記処理要求信号に基づき、前記複数の冷却対象部材のうちのいずれが前記処理を行うかを認識するとともに、前記処理を行う前記冷却対象部材に対応する前記冷却手段に前記冷却対象部材を冷却させる信号認識冷却制御手段と、
を備えたことを特徴とした冷却装置。
【請求項２】（削除）
【請求項３】（削除）
【請求項４】（削除）
【請求項５】（削除）
【請求項６】請求項１に記載の冷却装置であって、
前記処理要求信号に基づいて前記いずれか１つの冷却対象部材に対応する前記冷却手段の冷却能力を設定する信号冷却能力設定手段を備え、
前記信号認識冷却制御手段は、前記設定された冷却能力で前記冷却手段に前記冷却対象部材を冷却させることを特徴とした冷却装置。
【請求項７】請求項６に記載の冷却装置であって、
前記複数の冷却対象部材のうちの少なくともいずれか１つの温度を検出する温度検出手段と、
前記検出した温度に基づいて冷却対象部材に対応する前記冷却手段に前記冷却対象部材を冷却させる温度認識冷却制御手段と、
を備えたことを特徴とした冷却装置。
【請求項８】請求項７に記載の冷却装置であって、
前記検出した温度に対応して前記冷却手段の冷却能力を設定する温度冷却能力設定手段を備え、
前記温度認識冷却制御手段は、前記設定された冷却能力で前記冷却手段に前記冷却対象部材を冷却させることを特徴とした冷却装置。
【請求項９】請求項６ないし請求項８のいずれかに記載の冷却装置と、
前記ケース体と、
前記冷却対象部材と、
を備え、
前記冷却対象部材は、電子部品であることを特徴とした電子機器。
【請求項１０】ケース体内部に配置されて所定の処理を実施するとともに前記処理を実施する際に温度が上昇する複数の冷却対象部材をそれぞれ冷却する複数の冷却手段を、前記冷却対象部材のそれぞれの近傍に用い、
前記複数の冷却対象部材のうちの少なくともいずれか１つに前記処理を実施させる旨の処理要求信号を生成する信号生成手段から、前記処理要求信号を取得し、
前記処理要求信号に基づき、前記複数の冷却対象部材のうちのいずれが前記処理を行うかを認識するとともに、前記処理を行う前記冷却対象部材に対応する前記冷却手段に前記冷却対象部材を冷却させることを特徴とする冷却方法。
【請求項１１】（削除）
【手続補正２】
【補正対象書類名】明細書
【補正対象項目名】発明の名称
【補正方法】変更
【補正の内容】
【発明の名称】冷却装置、電子機器、および、冷却方法
【手続補正３】
【補正対象書類名】明細書
【補正対象項目名】０００１
【補正方法】変更
【補正の内容】
【０００１】
【技術分野】
［０００１］  本発明は、ケース体内部に配置された複数の冷却対象部材を冷却する冷却装置、電子機器、および、冷却方法に関する。
【背景技術】
［０００２］  従来、ケース体内部に配置された複数の電子部品を冷却する冷却装置が知られている（例えば、特許文献１参照）。
［０００３］  この特許文献１に記載のものは、筐体外の空気を取り入れて筐体内に送風する冷却ファンと、この冷却ファンで得られた空気流をそれぞれの電子部品まで導くダクト状の送風誘導路と、などを備えている。そして、冷却ファンを作動させると、送風誘導路に設けられた分岐路の先端から空気流が吹き出す。この空気流は、各電子部品の表面に当たって、各電子部品の熱を奪い冷却する。
［０００４］【特許文献１】特開平６−１３７７６号公報（第３頁右欄−第５頁左欄）
【発明の開示】
【発明が解決しようとする課題】
［０００５］  ところで、上述した特許文献１に記載のような構成において、冷却ファンから離れている電子部品を冷却する方法として、例えば冷却ファンの回転数を上げて冷却する方法が考えられる。しかしながら、冷却ファンの回転数を上げると、動作音が大きくなるという問題が一例として挙げられる。
［０００６］  本発明は、このような点に鑑みて、良好に冷却可能な冷却装置、電子機器、および、冷却方法を提供することを１つの目的とする。
【課題を解決するための手段】
［０００７］  本発明の冷却装置は、ケース体内部に配置された複数の冷却対象部材を冷却する冷却装置であって、前記複数の冷却対象部材は、各々所定の処理を実施する際に温度が上昇する部材であり、前記複数の冷却対象部材をそれぞれ冷却する複数の冷却手段が前記冷却対象部材のそれぞれの近傍に設けられ、前記複数の冷却対象部材のうち
１
【手続補正４】
【補正対象書類名】明細書
【補正対象項目名】０００２
【補正方法】変更
【補正の内容】
【０００２】
の少なくともいずれか１つに前記処理を実施させる旨の処理要求信号を生成する信号生成手段と、前記信号生成手段から前記処理要求信号を取得する処理要求信号取得手段と、前記処理要求信号に基づき、前記複数の冷却対象部材のうちのいずれが前記処理を行うかを認識するとともに、前記処理を行う前記冷却対象部材に対応する前記冷却手段に前記冷却対象部材を冷却させる信号認識冷却制御手段と、を備えたことを特徴とする。
［０００８］  本発明の電子機器は、前述した本発明の冷却装置と、前記ケース体と、前記冷却対象部材と、を備え、前記冷却対象部材は、電子部品であることを特徴とする。
［０００９］  本発明の冷却方法は、ケース体内部に配置されて所定の処理を実施するとともに前記処理を実施する際に温度が上昇する複数の冷却対象部材をそれぞれ冷却する複数の冷却手段を、前記冷却対象部材のそれぞれの近傍に用い、前記複数の冷却対象部材のうちの少なくともいずれか１つに前記処理を実施させる旨の処理要求信号を生成する信号生成手段から、前記処理要求信号を取得し、前記処理要求信号に基づき、前記複数の冷却対象部材のうちのいずれが前記処理を行うかを認識するとともに、前記処理を行う前記冷却対象部材に対応する前記冷却手段に前記冷却対象部材を冷却させることを特徴とする。
［００１０］
【図面の簡単な説明】
［００１１］［図１］本発明の第１実施形態に係る音響再生装置の概略構成を示すブロック図である。
［図２］前記第１実施形態および本発明の第２の実施の形態に係る音響再生装置の平面図である。
［図３］前記第１実施形態および前記第２の実施の形態における音響再生装置の背面図である。
［図４］前記第１実施形態および前記第２の実施の形態における図２のＩ−Ｉ線に沿った断面図である。
［図５］前記第１実施形態における音響再生装置の冷却処理を示すフローチャートである。
［図６］前記第２実施形態に係る音響再生装置の概略構成を示すブロック図である。
［図７］前記第２実施形態における音響再生装置の冷却処理を示すフローチャートである。
【符号の説明】
２／１
【国際調査報告】
2005091693.tif 000010
2005091693.tif 000011
2005091693.tif 000012
2005091693.tif 000013
2005091693.tif 000014
2005091693.tif 000015
2005091693.tif 000016